(57)【要約】【課題】  ノート型パソコンの梱包箱内に配置する梱包箱用支持具について、様々なサイズの機種に対応して安定して支持して衝撃から保護できるようにする。【解決手段】  ノート型パソコン３Ａの側部を挿入してその上面と下面とを挟んで保持する一対の水平保持板４，５を有する保持部と、保持部の挿入口両端側に水平保持板４，５に対し直角に設けられ外箱上下内壁の間に挿入・架設されて保持部を支持する２本の支持柱８，９を有する支持部とを具えた支持部材２が、左右一対でノート型パソコン３Ａの左右側部を保持する梱包箱用支持具において、水平保持板４，５の挿入口側に上下一組で左右対称位置に切込み４１〜４４を複数組設け、且つ両支持柱８，９を帯状シートが中間部を平面視コ字状に屈曲され先端部をその切込みに嵌入・固定された柱状として、この嵌入用の切込みを変更して両支持柱８，９の幅を変更することで挿入口左右幅を変更可能とする。【選択図】      図２
2005119683.tif 000002
【特許請求の範囲】
【請求項１】
ノート型パソコンの側部を挿入する挿入口を形成し前記ノート型パソコンの上面と下面とを挟んで保持する上下一対の水平保持板および前記一対の水平保持板を連結する垂直板を有する保持部と、前記保持部の挿入口両端側に前記水平保持板に対し直角に設けられ外箱上下内壁の間に挿入・架設され前記保持部を支持する２本の支持柱を有する支持部とを具えた支持部材が、左右一対で前記ノート型パソコンの左右側部を保持して前記外箱上下内壁から離れた位置で支持するノート型パソコンの梱包箱用支持具であって、
前記支持部材が所定のシートから立設されるとともに、前記水平保持板の挿入口側に上下一組で左右対称位置に前記シートの厚さとほぼ同一幅の切込みが複数組設けられ、且つ前記両支持柱が前記挿入口上下幅よりも幅広の帯状シートから形成され前記保持部左右両端側から延設されて中間部が平面視コ字状またはＵ字状に屈曲されながら先端部が前記切込みに嵌入・固定されて柱状をなすものであり、
前記先端部を嵌入させる切込みを変更して前記両支持柱の幅を変更することにより前記挿入口左右幅を変更可能とした、
ことを特徴とするノート型パソコンの梱包箱用支持具。
【請求項２】
前記両水平保持板は、前記垂直板との接続部より外側に水平に延設され先端が前記外箱の側面内壁に接して前記垂直板を前記側面内壁から所定距離に保って支持する側方支持突部が設けられている、請求項１に記載したノート型パソコンの梱包箱用支持具。
【請求項３】
前記水平保持板は、挿入口側に折り筋またはミシン目でその所定幅を内側に折り返すための折り返し部が設けられている、請求項１または２に記載したノート型パソコンの梱包箱用支持具。
【請求項４】
前記支持部材は、一枚のダンボールシートを切り抜いたものを所定の折り線に沿って立設することで組立てられるものである、請求項１，２または３に記載したノート型パソコンの梱包箱用支持具。
【請求項５】
前記両支持柱は、挿入された前記ノート型パソコンの側部角部分が接する垂直面が、前記両支持柱で形成される間隔が前記挿入口から奥側に向かって狭くなるように傾斜した面とされている、請求項１，２，３または４に記載したノート型パソコンの梱包箱用支持具。
【発明の詳細な説明】
【技術分野】
【０００１】
本発明は、ノート型パソコン用梱包箱内に設置されノート型パソコンを安定的に支持して輸送中の衝撃から保護する、ノート型パソコンの梱包用支持具に関する。
【背景技術】
【０００２】
近年、ノート型パソコンの需要が拡大して広く一般に使用されるようになったが、これに伴ってその中古市場も大きく拡大している。これに伴い、個人ユーザ同士がインターネットオークションなどで取引したり、個人ユーザと販売業者とが様々な通信媒体を通じて通信販売で中古品を取引したりするケースが増加している。この場合、商品を取引相手に引き渡す手段として宅配便等の輸送手段を用いることが多いが、中古品の場合、購入時の梱包箱は残っていないのが通常である。また、ノート型パソコンの修理やメモリ増設等の場合において自宅とメーカーとの間でも宅配便を利用して送付する機会が多いが、同様に専用の梱包箱がない場合が多い。
【０００３】
そこで、市販の段ボール箱に緩衝材とともにノート型パソコンを詰めて梱包したり、他の機種の空き箱を利用したりして送付することが行われている。しかし、ノート型パソコンは精密機械であって衝撃に極めて弱いものであり、機種ごとに作成された支持具を内装した専用の梱包箱を用いて、これをしっかりと外箱の内壁から離れた位置に支持して外部からの衝撃が直接ノート型パソコンに加わらないようにすることが必要である。しかし、専用の梱包箱を使用しない場合、箱内部で収納物であるノート型パソコンが安定して支持されにくいため、破損事故が頻繁に起きることとなる。一方、破損事故を防ぐため緩衝材を厳重にして梱包すると、梱包費用が嵩むとともに梱包箱も大きくなって送付費用が嵩むことになる。
【０００４】
この問題に対し、特開２００１−１３０６４０号公報に、内装体と個装体との組み合わせを有する物品運送用梱包具であって、物品を外箱の上下内壁から間隔をおいて保持させる立ち上がり部分と立ち下がり部分とを内装体に具え、輸送中の衝撃から収納物であるノート型パソコンを保護しようとするものが記載されている。この物品運送用梱包具はダンボールで製造されるが、ダンボール紙の撓み、座屈、加工・組立の精度などの影響も少なく、ノート型パソコンの輸送に際してこれを衝撃から有効に保護するものである。
【０００５】
しかしながら、ノート型パソコンはＡ４サイズとＢ５サイズ、さらに通常の厚さのものと薄型のものなど、サイズが複数種類あるのに対し、この物品運送用梱包具は一種類で様々なサイズの機種に対応できるものではなく、サイズが合わなければ収納物をしっかり保持できず衝撃から充分に保護することができない。従って、これを運送業者等が在庫する場合、Ａ４型とＢ５型、さらには薄型とそれ以外のもの等、複数種類のサイズを提供できるようにする必要があり、在庫負担が大きく無駄も生じやすい。
【特許文献１】特開２００１−１３０６４０号公報
【発明の開示】
【発明が解決しようとする課題】
【０００６】
本発明は、上記のような問題点を解決しようとするものであり、ノート型パソコンの梱包箱内に配置して用いる梱包箱用支持具について、様々なサイズの機種に対応してノート型パソコンを安定して支持できるようにして、梱包箱に加わる衝撃からノート型パソコンを保護することを課題とする。
【課題を解決するための手段】
【０００７】
そこで、本発明は、ノート型パソコンの側部を挿入する挿入口を形成しノート型パソコンの上面と下面とを挟んで保持する上下一対の水平保持板およびこの一対の水平保持板を連結する垂直板を有する保持部と、保持部の挿入口両端側に水平保持板に対し直角に設けられ外箱上下内壁の間に挿入・架設され保持部を支持する２本の支持柱を有する支持部とを具えた支持部材が、左右一対でノート型パソコンの左右側部を保持して外箱内の上下内壁から離れた位置で支持するノート型パソコンの梱包箱用支持具として、支持部材が所定のシートから立設されるとともに、水平保持板の挿入口側に上下一組で左右対称位置にこのシートの厚さとほぼ同一幅の切込みが複数組設けられ、且つ両支持柱が挿入口上下幅よりも幅広の帯状シートから形成され保持部左右両端側から延設されて中間部が平面視コ字状またはＵ字状に屈曲されながら先端部がその切込みに嵌入・固定されて柱状をなすものとされ、この先端部を嵌入させる切込みを変更して支持柱の幅を変更することにより挿入口左右幅を変更可能なものとした。
【０００８】
このことにより、両柱部材を構成する帯状シート先端部の嵌入位置を適宜選択することで、例えばＡ４サイズとＢ５サイズなど複数サイズのノート型パソコンに対応して、ひとつの梱包箱用支持具でも容易に対応して安定して保持できるようになる。従って、これを多種類準備する必要もなくなり、在庫負担も軽いものとなる。
【０００９】
また、その両水平保持板において、垂直板との接続部より外側に水平に延設され先端が外箱の側面内壁に接して垂直板をこの内壁から所定距離に保って支持する側方支持突部を設ければ、ノート型パソコン収納時にその両側面を外箱の側面内壁から所定間隔を有して離れた位置で安定して支持できるため、左右方向からの衝撃にも強いものとなる。
【００１０】
さらに、水平保持板の挿入口側に、折り筋またはミシン目でその所定幅を内側に折り返すための折返し部を設けることで、水平保持板により形成される上下間隔を調整することができるため、一種類の梱包箱用支持具でさらに異なる厚さ（薄さ）の機種にも容易に対応してこれを安定して保持できるようになる。
【００１１】
さらにまた、この支持部材を一枚のダンボール板を切り抜いたものを所定の折り線に沿って立設することで組立てられるものとすれば、製造容易で低廉であるとともに、組立前は嵩張らず保管スペースも小さいものとなる。
【００１２】
加えて、その両支持柱において挿入されたノート型パソコンの側部角部分が接する垂直面を、両支持柱で形成される間隔が奥側に向かって狭くなるように傾斜した面とすれば、ノート型パソコンの種類ごとに僅かに異なる側部幅に対応してこれを安定して保持しやすいものとなる。
【発明の効果】
【００１３】
本発明によると、様々なサイズの機種に対応してノート型パソコンを外箱内で安定的に保持して、梱包箱に加わる衝撃からノート型パソコンを有効に保護することができるものである。
【発明を実施するための最良の形態】
【００１４】
図面を参照して本発明の実施の形態を説明すると、図１の（Ａ），（Ｂ），（Ｃ）は本発明の好ましい実施の形態であるノート型パソコンの梱包用支持具を構成する支持部材２を示している。
【００１５】
図１の（Ａ）は、支持部材２の組立前の状態を示す展開図であり、支持部材２はダンボールシートを所定の形状に切り抜いて作成されたものであって、太い実線が切断線であり、細い破線が折筋を入れた折り線を示している。水平保持板４，５は垂直板７ａ，７ｂ，７ｃを介して折り線部分で接続され、垂直板７ａに対し直角に屈曲されて互いに平行となり、垂直板７ｂ，７ｃ側端に支持柱８，９が折り線部分で接続されてミシン線部分で屈曲されることにより水平保持板４，５に対し直角な柱形状をなす。
【００１６】
また、水平保持板４，５には、組立時に垂直板７ｂ，７ｃとの接続部付近から垂直板よりも外側に突出する（図１の（Ｃ）参照）側方支持突部４ｃ，４ｄ，５ｃ，５ｄが延設されるとともに、挿入口側の支持柱８，９寄りには構成するダンボールシートの厚さと略等しい幅の切込み４１，４２と４３，４４、および切込み５１．５２と５３，５４が互いに対称位置に設けられている。また、水平保持板４，５の挿入口側端縁から所定幅で切筋（大きなミシン目）４５，４６，５５，５６により折返し容易とされた折返し部４ａ、５ａが設けられている。
【００１７】
支持柱８および９は、折り線およびミシン目８１，８２および９１，９２部分で約９０度に屈曲され、それぞれ平面視コ字状に突出した柱状に形成されるようになっており（図１の（ｃ）参照）、先端側に挿入片８ａおよび９ａを具えるとともにその左右に切込み８ｂ，８ｃおよび９ｂ，９ｃを具えている。
【００１８】
支持部材２を組立て状態とした正面図である図１の（Ｂ）を参照して、水平保持板４，５で形成される保持部は、支持柱８，９の間においてＢ５型のノート型パソコンの側部が挿入できる左右幅を有して、支持柱８，９で図示しない外箱の中で上下内壁と離れた位置にノート型パソコンを支持するようになっている。また、この挿入口の上下幅は通常タイプのノート型パソコンの一般的な上下幅に等しく、挿入したときにその上下面が水平保持板４，５に密着して安定的に保持されるようになっている。このように支持部材２は、一枚のダンボールシートを切り抜いて折り筋を入れただけの単純な構成のものを折り線に沿って折り曲げるだけで組み立てられるため、製造コストが極めて低廉であるとともに組立前は嵩張らず在庫も容易である。
【００１９】
次に、本実施の形態における梱包箱用支持具の使用状態について図２乃至図４を用いて説明する。各図において、一点鎖線で示す共通の外箱１内部に共通の支持部材２，２を挿入口側を対向させて配置し、斜線で示すノート型パソコン３Ａ，３Ｂ，３Ｃ，３Ｄを収納・支持させた状態を示している。尚、支持部材２，２の説明は両者とも構成・作用が同様なので一方のみを説明する。
【００２０】
図２の（Ａ）は、Ｂ５型のノート型パソコン３Ａを収納した輸送用梱包箱の平面図を示しており、図４の（Ｂ）はＡ４型ノート型パソコン３Ａの場合を示している。Ｂ５型のノート型パソコン３Ａを収納するときは、屈曲前の帯状の支持柱８および９を屈曲して挿入する際、ミシン目８１、８３および９１，９３で約９０度に屈曲させ、その先端部の切込み８ｂ，８ｃおよび９ｂ，９ｃを水平保持板４，５の切込み４２，５２および４３，５３に噛み合うように挿入する（図１の（Ａ）参照）。これにより支持柱８，９の間隔は狭くなって、Ｂ５型用の挿入口幅となる。また、支持柱８，９のノート型パソコン３Ａの側部角部分が接する面は、挿入口奥方向に向かって間隔が狭くなるように傾斜しているため、同じＢ５型でも機種により微妙に異なる幅にも対応できる。
【００２１】
図２の（Ｂ）を参照して、Ａ４型のノート型パソコン３Ｂの場合は、屈曲前の帯状の支持柱８および９をミシン目８１および９１、折り線８３および９３で折り曲げて切込み８ｂ，８ｃおよび９ｂ，９ｃを、切込み４１，５１および４４，５４に噛み合うように挿入する（図１の（Ａ）参照）。これにより、支持柱８，９自体の左右幅が小さくなってその間隔も広がるため、Ａ４型ノート型パソコン３Ｂが挿入できる挿入口左右幅となる。この場合も同様に、支持柱８，９のノート型パソコン３Ｂに接する面が傾斜しているため、機種によるサイズの微妙な差違に対応してこれをしっかりと保持することができる。
【００２２】
図３の（Ａ）および（Ｂ）は、図２の（Ａ）および（Ｂ）の正面図を示している。両者ともに収納したノート型パソコン３Ａ，３Ｂは通常の上下幅（厚さ）のものであり、水平保持板４，５にその上下面を密着して安定的に保持されている。これにより、それぞれノート型パソコン３Ａ，３Ｂが外箱１の上下内壁から離れた位置の中間位置に支持されているため、上下方向の衝撃からこれを有効に保護することができる。また、側方支持突部４ｃ，４ｄ，５ｃ，５ｄによりノート型パソコン３Ｂ，３Ａが外箱１の左右内壁から大きく離された位置に支持されているため、左右方向からの衝撃から保護することもできる。尚、図示しないが、外箱１の上下及び左右内壁と支持部材２，２およびノート型パソコン３Ａまたは３Ｂとで形成される空間には、緩衝材を適宜充填することが、輸送の安全をより万全にする点で推奨される。また、ノート型パソコンは、静電気防止シートで作成された袋に入れた状態で収納することが、電子部品の保護の面で有効であることは言うまでもない。
【００２３】
図４の（Ａ）および（Ｂ）は、通常タイプのノート型パソコンよりも薄型のノート型パソコン３Ｃおよび３Ｄを収納した状態を示す正面図であり、両者ともにそれぞれ水平保持板４および５の挿入口側の折返し部４ａおよび６ａを切筋４５，４６および５５，５６位置で内側に折返してダンボールシートの厚さ２枚分、挿入口の上下幅を小さくした実施の形態であり、薄型タイプのノート型パソコンにも対応できるようにしたものである。尚、折返し部４ａまたは５ａのうち一方のみを内側に折り返すことで、通常タイプと薄型タイプとの中間タイプについても対応することができる。
【００２４】
以上述べたように、支持部材２はＢ５型およびＡ４型、さらには薄型から通常の厚さ等、様々なサイズのノート型パソコンに対し、一種類のもので簡単な調整により保持部の上下左右のサイズを容易に変更し、精密機械であるノート型パソコンを外箱内で安定的に支持して、輸送中の衝撃から有効に保護できるものである。
【図面の簡単な説明】
【００２５】
【図１】（Ａ）は本発明の実施の形態の梱包箱用支持具を構成する支持部材の展開図、（Ｂ）は（Ａ）の支持部材を組み立て状態とした正面図、（Ｃ）は（Ｂ）の平面図。
【図２】（Ａ）は図１の支持部材を用いてＢ５型ノート型パソコンを収納した状態を示す正面図、（Ｂ）はＡ４型ノート型パソコンを収納した場合を示す正面図。
【図３】（Ａ）および（Ｂ）は図２の（Ａ）および（Ｂ）より薄型のものを収納した状態を示す正面図。
【図４】（Ａ）および（Ｂ）は図３の（Ａ）および（Ｂ）より薄型のものを収納した状態を示す正面図。
【符号の説明】
【００２６】
１  外箱、２  支持部材、３Ａ，３Ｂ，３Ｃ，３Ｄ  ノート型パソコン、４，５  水平保持板、４ａ，５ａ  折返し部、４ｃ，４ｄ，５ｃ，５ｄ  側方支持突部、７ａ，７ｂ，７ｃ  垂直支持板、８，９  支持柱、８ａ，９ａ  挿入片、８ｂ，８ｃ，９ｂ，９ｃ，４１，４２，４３，４４，５１，５２，５３，５４  切込み、４５，４６，５５，５６  切筋、８１，８２，９１，９２  ミシン目、８３，９３  折り線
【図１】
2005119683.tif 000003
【図２】
2005119683.tif 000004
【図３】
2005119683.tif 000005
【図４】
2005119683.tif 000006